(57)【特許請求の範囲】
【請求項１】
共通の商品取出口を通じて異なる温度状態の商品の販売を行う自動販売機において、
照射光の色相が異なる光源を有し、前記商品取出口に払い出す商品の温度状態に応じた照射光で前記商品取出口の内部を照明する照明手段を備えることを特徴とする自動販売機。
【請求項２】
販売する商品を選択し、利用者が操作する操作選択部と、
予め操作選択部と駆動情報とを関連付けて格納する格納手段と、
前記操作選択部が操作された場合、当該操作選択部に対応する駆動情報を前記格納手段から読み出し、読み出した駆動情報に対応する光源を駆動する光源駆動手段と
を備えることを特徴とする請求項１に記載の自動販売機。
【発明の詳細な説明】
【技術分野】
【０００１】
本発明は、自動販売機に関するものである。
【背景技術】
【０００２】
自動販売機の中には、本体ケースの内部に断熱収容庫を複数備え、各断熱収容庫に異なる温度状態で商品を収容するものがある。この自動販売機では、共通の商品取出口を通じて異なる温度状態の商品の販売を行う。
【０００３】
また、自動販売機の中には、販売する商品の視認性を向上するため、商品取出口の内部を照明するための照明手段を備えるものがある（例えば、特許文献１参照）。
【０００４】
【特許文献１】実開平６−３７９６７号公報
【発明の開示】
【発明が解決しようとする課題】
【０００５】
ところで、昨今、照明手段の中には、照射光の色相が異なる光源を備えるものがある。そこで、他の自動販売機との差別化を図ることで利用者の購買意欲を喚起させるべく、発明者は、この照明手段を自動販売機に適用することを鋭意考察した。
【０００６】
本発明の目的は、販売する商品の視認性を向上するとともに、利用者の購買意欲を喚起することができる自動販売機を提供することにある。
【課題を解決するための手段】
【０００７】
上記の目的を達成するために、請求項１にかかる発明は、共通の商品取出口を通じて異なる温度状態の商品の販売を行う自動販売機において、照射光の色相が異なる光源を有し、前記商品取出口に払い出す商品の温度状態に応じた照射光で前記商品取出口の内部を照明する照明手段を備えることを特徴とする。
【０００８】
また、請求項２にかかる自動販売機は、上記請求項１において、販売する商品を選択し、利用者が操作する操作選択部と、予め操作選択部と駆動情報とを関連付けて格納する格納手段と、前記操作選択部が操作された場合、当該操作選択部に対応する駆動情報を前記格納手段から読み出し、読み出した駆動情報に対応する光源を駆動する光源駆動手段とを備えることを特徴とする。
【発明の効果】
【０００９】
本発明にかかる自動販売機によれば、照射光の色相が異なる光源を有し、商品取出口に払い出す商品の温度状態に応じた照射光で商品取出口の内部を照明する照明手段を備えるため、商品の視認性を向上することができるとともに、他の自動販売機との差別化を図ることで、利用者の購買意欲を喚起することができる。
【発明を実施するための最良の形態】
【００１０】
以下、添付図面を適宜参照しながら、本発明にかかる自動販売機の好適な実施の形態について詳細に説明する。図１および図２は、本発明にかかる自動販売機を示したものである。
【００１１】
ここで例示する自動販売機は、缶入り飲料、ペットボトル入り飲料、紙パック入り飲料等の商品Ｎを冷却もしくは加熱した状態で販売するもので、本体ケース１を備えている。この本体ケース１は、直方体状の筐体である本体キャビネット２と、本体キャビネット２の前面側に形成した開口を開閉する前面パネル３とで構成してある。なお、以下の説明において、前面パネル３がある側を自動販売機の手前側（前面側）とし、本体キャビネット２がある側を奥側（背面側）として説明する。
【００１２】
本体キャビネット２の内部には、第１断熱収容庫２１を例えばその右側半分に備えているとともに、第２断熱収容庫２２を例えばその左側半分に備えている。
【００１３】
第１断熱収容庫２１は、底壁、天壁、および側壁を断熱材で形成してあり、その内部を所定の温度状態に維持するものである。また、この第１断熱収容庫２１の内部には、図には明示していないが、冷凍サイクルの蒸発器等、第１断熱収容庫２１の内部の空気を冷却するための冷却手段を設けてある。
【００１４】
第２断熱収容庫２２は、底壁、天壁、および側壁を断熱材で形成してあり、その内部を所定の温度状態に維持するものである。また、この第２断熱収容庫２２の内部には、図には明示していないが、電熱ヒータ等、第２断熱収容庫２２の内部の空気を加熱するための加熱手段が設けてある。
【００１５】
第１断熱収容庫２１の内部および第２断熱収容庫２２の内部には、複数の商品ラック４０を左右幅方向にそれぞれ並設してある。各商品ラック４０は、複数の商品コラム４１を奥行幅方向に並設することによって構成したもので、個々の商品コラム４１に画成した商品収容通路に複数の商品Ｎを上下方向に収容することが可能である。
【００１６】
第１断熱収容庫２１の商品Ｎは、冷却された状態で各商品コラム４１に収容してある一方、第２断熱収容庫２２の商品Ｎは、加熱された状態で各商品コラム４１に収容してある。断熱収容庫に設置された各商品コラム４１が、商品Ｎを所定の温度状態で収容する収容部としての機能を有している。
【００１７】
各商品コラム４１の下端部には、商品Ｎを個別に払い出すベンドメック４２を設けてある。このベンドメック４２は、図示する制御手段１００に接続してあり、制御手段１００から払出指令が与えられた場合、駆動することにより商品Ｎを１つ払い出すものである。ベンドメック４２から払い出された商品Ｎは、シュータ４３に案内されて後述する商品取出部７１に配置されることとなる。
【００１８】
前面パネル３には、硬貨を投入するための硬貨投入口５１、紙幣を挿入するための紙幣挿入口５２、利用者が投入した貨幣の入金額、釣銭の金額等々、商品Ｎを販売する上で必要となる各種情報を外部に表示するための表示器５３、投入した硬貨および挿入した紙幣を返却するための返却レバー５４、硬貨を返却する硬貨返却口５５、後述する商品見本Ｎ′を利用者が視認するための透明板５８等、商品Ｎを販売する際に必要となる構成が設けてある。
【００１９】
また、前面パネル３には、上記商品コラム４１に１対１で対応する商品選択釦６０を設けてある。この商品選択釦６０は、販売される商品Ｎを選択するものであり、かつ利用者が操作する操作選択部としての機能を有している。この商品選択釦６０は、利用者により操作された場合、操作された旨の信号を制御手段１００に送信するものである。
【００２０】
さらに、前面パネル３の背面側には、硬貨処理装置６１、および紙幣処理装置６２を設けてある。硬貨処理装置６１は、硬貨投入口５１から受け入れた硬貨の金銭処理を行い、かつこの金銭処理の結果を制御手段１００に送信するものである。紙幣処理装置６２は、紙幣挿入口５２から受け入れた紙幣の金銭処理を行い、かつこの金銭処理の結果を制御手段１００に送信するものである。
【００２１】
さらに、前面パネル３には、商品選択釦６０に１対１で対応する商品見本Ｎ′を設けてある。この商品見本Ｎ′は、販売する商品Ｎの見本である。
【００２２】
また、前面パネル３には、図１、図３〜図５に示すように、前面に商品取出口７０を形成してあり、かつこの商品取出口７０に臨む商品取出部７１を設けてある。商品取出部７１は、取出側壁７１ａと、取出天壁７１ｂと、取出底壁７１ｃとによって本体ケース１の内部に画成された空間であって、上記ベンドメック４２の駆動により商品コラム４１から払い出された商品Ｎがシュータ４３により案内されて払い出される空間である。また、商品取出口７０は、商品取出部７１に払い出された商品（販売商品）Ｎを取り出すため前面パネル３に形成した開口である。そして、利用者は、商品取出口７０を通じて商品取出部７１に払い出された販売商品を本体ケース１の外部に取り出すことができる。また、第１断熱収容庫２１の内部に収容された商品Ｎは、この商品取出口７０を通じて販売され、かつ第２断熱収容庫２２の内部に収容された商品Ｎは、この商品取出口７０を通じて販売される。すなわち、この自動販売機は、共通の商品取出口７０を通じて異なる温度状態の商品Ｎの販売を行うものである。また、前面パネル３には、商品取出口７０を開閉する扉体７２を設けてある。
【００２３】
この商品取出部７１の底部には、商品取出部７１を上下方向に二分する隔壁７４を設けてある。この隔壁７４には、照明開口７３を２つ、左右幅方向に並ぶ態様で形成してある。また、商品取出部７１には、各照明開口７３を閉鎖し、光透過性を有する樹脂材料で形成した照明開口閉塞板７５を設けてある。
【００２４】
また、隔壁７４によって分断された商品取出部７１のうち、下方の空間には、商品取出口７０の内部を照明する照明手段８０を設けてある。照明手段８０は、第１光源８１と、第２光源８２とを備えている。第１光源８１は、照射光の色相が青色の蛍光灯である。第２光源８２は、照射光の色相が赤色の蛍光灯である。第１光源８１は、制御手段１００から駆動指令が与えられた場合に駆動することで、青色の光を照射するものであり、第２光源８２は、制御手段１００から駆動指令が与えられた場合に駆動することで、赤色の光を照射するものである。
【００２５】
このような構成を有する自動販売機は、図２に示す制御手段１００を備えている。この制御手段１００は、自動販売機を統括的に制御するものであって、硬貨処理装置６１、紙幣処理装置６２、各商品コラム４１のベンドメック４２、各商品選択釦６０、第１光源８１、および第２光源８２に接続してある。
【００２６】
また、制御手段１００は、販売処理制御部１０１を備えているとともに、メモリ１０２を有している。メモリ１０２には、自動販売機を動作させるためのプログラムやデータが格納されている。さらに、このメモリ１０２には、予め商品選択釦６０と商品コラム４１とが１対１で対応するように関連付けられて格納してあるとともに、予め商品選択釦６０と駆動情報とが１対１で対応するように関連付けられて格納してある。
【００２７】
具体的には、第１断熱収容庫２１に設置された第１の商品コラム４１に第１の商品選択釦６０が１対１で関連付けられている。同様に、第１断熱収容庫２１に設置された第２の商品コラム４１に第２の商品選択釦６０が１対１で関連付けられており、第３の商品コラム４１に第３の商品選択釦６０が１対１で関連付けられている。以下、省略するが、第１断熱収容庫２１に設置された各商品コラム４１に各商品選択釦６０が１対１で関連付けられている。また、第２断熱収容庫２２に設置された第１１の商品コラム４１に第１１の商品選択釦６０が１対１で関連付けられている。同様に、第２断熱収容庫２２に設置された第１２の商品コラム４１に第１２の商品選択釦６０が１対１で関連付けられており、第１３の商品コラム４１に第１３の商品選択釦６０が１対１で関連付けられている。以下、省略するが、第２断熱収容庫２２に設置された各商品コラム４１に各商品選択釦６０が１対１で関連付けられている。
【００２８】
また、各商品選択釦６０に駆動情報が１対１で対応するように関連付けられている。具体的には、第１の商品選択釦６０に、第１光源８１を点灯する旨の駆動情報が関連付けられており、第２の商品選択釦６０に、第１光源８１を点灯する旨の駆動情報が関連付けられており、第３の商品選択釦６０に、第１光源８１を点灯する旨の駆動情報が関連付けられている。また、第１１の商品選択釦６０に、第２光源８２を点灯する旨の駆動情報が関連付けられており、第１２の商品選択釦６０に、第２光源８２を点灯する旨の駆動情報が関連付けられており、第１３の商品選択釦６０に、第２光源８２を点灯する旨の駆動情報が関連付けられている。
【００２９】
販売処理制御部１０１は、商品Ｎの販売を制御する機能を有している。また、この販売処理制御部１０１は、商品選択釦６０が操作された場合、当該商品選択釦６０に対応する駆動情報をメモリ１０２から読み出し、読み出した駆動情報に基づいて光源を駆動する光源駆動手段としての機能も有している。さらに、販売処理制御部１０１は、商品選択釦６０が操作された場合、当該商品選択釦６０に対応する商品コラム４１のベンドメック４２に払出指令を送信する機能も有している。
【００３０】
次に、図６に示すフローチャートを用いて、この自動販売機の販売処理制御部１０１の作用を説明する。この自動販売機の販売処理制御部１０１は、所定金額の貨幣が投入されるのを待機している（ステップＳ００１：Ｎｏ）。
【００３１】
販売処理制御部１０１は、硬貨処理装置６１または紙幣処理装置６２に所定金額の貨幣が投入された場合（ステップＳ００１：Ｙｅｓ）、ステップＳ００２に移行する。
【００３２】
ステップＳ００２では、販売処理制御部１０１は、商品選択釦６０が操作されるのを待機しており（ステップＳ００２：Ｎｏ）、商品選択釦６０が操作された場合（ステップＳ００２：Ｙｅｓ）、当該商品選択釦６０に対応する商品コラム４１をメモリ１０２から読み出し、かつ当該商品選択釦６０に対応する駆動情報をメモリ１０２から読み出し（ステップＳ００３）、ステップＳ００４に移行する。
【００３３】
ステップＳ００４では、販売処理制御部１０１は、読み出した商品コラム４１のベンドメック４２に払出指令を送信し、かつ読み出した駆動情報に対応する光源８１，８２に駆動指令を送信してから、販売処理を終了する。
【００３４】
販売処理制御部１０１から払出指令をベンドメック４２が受信した場合、ベンドメック４２は、駆動して商品コラム４１から商品Ｎを１つ払い出す。商品コラム４１から払い出された商品Ｎは、シュータ４３により案内されて商品取出部７１に払い出される。
【００３５】
また、販売処理制御部１０１から駆動指令を第１光源８１が受信した場合、第１光源８１は、駆動して青色の光を照射する。この結果、商品取出口７０に払い出す冷却された商品Ｎに応じた青色の照射光で商品取出口７０の内部が照明されることとなる。
【００３６】
一方、販売処理制御部１０１から駆動指令を第２光源８２が受信した場合、第２光源８２は、駆動して赤色の光を照射する。この結果、商品取出口７０に払い出す加熱された商品Ｎに応じた赤色の照射光で商品取出口７０の内部が照明されることとなる。
【００３７】
この自動販売機によれば、冷却した商品Ｎを販売する場合には、商品取出口７０の内部を青色の照射光で照明することができる一方、加熱した商品Ｎを販売する場合には、商品取出口７０の内部を赤色の照射光で照明することができる。これにより、販売商品Ｎの視認性を向上することができるとともに、利用者は、販売された商品Ｎが冷却されたものであるか、加熱されたものであるかが分かる。しかも、このような機能は、他の自動販売機が有していないため、他の自動販売機との差別化を図ることで、利用者の購買意欲を喚起することができる。
【００３８】
なお、上述した実施の形態には、缶入り飲料、ペットボトル入り飲料、紙パック入り飲料等の商品Ｎを販売する自動販売機で説明した。しかし、この発明はそれに限られず、例えばカップ入り飲料を販売する自動販売機にも適用することができる。
【図面の簡単な説明】
【００３９】
【図１】本発明にかかる自動販売機を示す正面図である。
【図２】図１に示した自動販売機の要部を示すブロック図である。
【図３】図１に示した自動販売機が備える商品取出部を、前面パネルの背面側から見た斜視図である。
【図４】図３の要部拡大図である。
【図５】図３に示した商品取出部の断面図である。
【図６】図１に示した自動販売機が備える販売処理部のフローチャートである。
【符号の説明】
【００４０】
１      本体ケース
２      本体キャビネット
３      前面パネル
２１      第１断熱収容庫
２２      第２断熱収容庫
４０      商品ラック
４１      商品コラム
４２      ベンドメック
４３      シュータ
５１      硬貨投入口
５２      紙幣挿入口
５３      表示器
５４      返却レバー
５５      硬貨返却口
５８      透明板
６０      商品選択釦（操作選択部）
６１      硬貨処理装置
６２      紙幣処理装置
７０      商品取出口
７１      商品取出部
７１ａ      取出側壁
７１ｂ      取出天壁
７１ｃ      取出底壁
７３      照明開口
８０      照明手段
８１      第１光源
８２      第２光源
１００      制御手段
１０１      販売処理制御部（光源駆動手段）
１０２      メモリ（格納手段）
Ｎ      商品
Ｎ′    商品見本
Ｎ      販売商品
【図１】
0004867934.tif 000002
【図２】
0004867934.tif 000003
【図３】
0004867934.tif 000004
【図４】
0004867934.tif 000005
【図５】
0004867934.tif 000006
【図６】
0004867934.tif 000007